(57)【特許請求の範囲】
【請求項１】
情報処理装置と非接触通信により通信し、互いに異なる通信範囲を有する第１の通信手段および第２の通信手段を備える携帯端末装置において、
前記第１の通信手段は、前記情報処理装置が前記第１の通信手段の通信範囲内に存在した場合に、前記第２の通信手段の通信を確立するための通信設定情報および前記第２の通信手段によって送信する文書または画像を含んだ実体情報を処理する設定を示す設定情報を、非接触通信で前記情報処理装置に送信し、
前記第２の通信手段は、前記第１の通信手段によって送信した前記通信設定情報に基づいて前記情報処理装置との通信を確立し、前記実体情報、及び前記設定情報を、非接触通信で前記情報処理装置に送信し、
前記設定情報の送信指示の入力を受け付ける入力受付手段と、
前記実体情報の属性情報に基づいて、前記第１の通信手段、及び前記第２の通信手段のいずれにより前記実体情報を送信するかを決定する属性基準を記憶した属性記憶手段と、
前記情報処理装置との間で前記第１の通信手段による通信または前記第２の通信手段による通信のいずれの通信を行うかを、前記実体情報の属性情報を前記属性記憶手段に記憶された前記属性基準と照らし合わせることで判定する属性判定手段と、
を備え、
前記第１の通信手段は、前記属性判定手段が前記第１の通信手段で通信を行うと判定した場合に、前記実体情報を非接触通信で前記情報処理装置に送信し、
前記第２の通信手段は、前記属性判定手段が前記第２の通信手段で通信を行うと判定した場合に、入力された前記送信指示に基づいて、前記実体情報を非接触通信で前記情報処理装置に送信すること、
を特徴とする携帯端末装置。
【請求項２】
前記第１の通信手段は、前記属性判定手段が前記実体情報の大きさが所定のサイズ以下であると判定した場合に、前記実体情報を送信すること、
を特徴とする請求項１に記載の携帯端末装置。 
【請求項３】
前記第１の通信手段は、前記属性判定手段が前記実体情報の大きさが所定のページ数以下であると判定した場合に、前記実体情報を送信すること、
を特徴とする請求項１に記載の携帯端末装置。 
【請求項４】
前記第１の通信手段は、前記属性判定手段が前記実体情報が所定の形式で作成されていると判定した場合に、前記実体情報を送信すること、
を特徴とする請求項１に記載の携帯端末装置。 
【請求項５】
前記第１の通信手段は、前記属性判定手段が前記属性情報が秘密状態を示すものが含まれると判定した場合に、前記実体情報を送信すること、
を特徴とする請求項１に記載の携帯端末装置。 
【請求項６】
情報処理装置と非接触通信により通信し、互いに異なる通信範囲を有する第１の通信手段および第２の通信手段を備える携帯端末装置で実行される情報通信方法において、
前記第１の通信手段が、前記情報処理装置が前記第１の通信手段の通信範囲内に存在した場合に、前記第２の通信手段の通信を確立するための通信設定情報および前記第２の通信手段によって送信する文書または画像を含んだ実体情報を処理する設定を示す設定情報を、非接触通信で前記情報処理装置に送信する第１の通信ステップと、
前記第２の通信手段が、前記第１の通信ステップによって送信した前記通信設定情報に基づいて前記情報処理装置との通信を確立し、前記実体情報、及び前記設定情報を非接触通信で前記情報処理装置に送信する第２の通信ステップと、
入力受付手段が、前記設定情報の送信指示の入力を受け付ける入力受付ステップと、
属性判定手段が、前記情報処理装置との間で前記第１の通信手段による通信または前記第２の通信手段による通信のいずれの通信を行うかを、前記第１の通信手段、及び前記第２の通信手段のいずれにより前記実体情報を送信するかを決定する属性記憶手段に記憶された前記属性基準と前記実体情報の属性情報を照らし合わせることで判定する属性判定ステップと、を含み、
前記第１の通信ステップは、
前記属性判定手段が前記第１の通信手段で通信を行うと判定した場合に、前記実体情報を非接触通信で前記情報処理装置に送信し、
前記第２の通信ステップは、
前記属性判定手段が前記第２の通信手段で通信を行うと判定した場合に、入力された前記送信指示に基づいて、前記実体情報を非接触通信で前記情報処理装置に送信すること、
を特徴とする情報通信方法。 
【請求項７】
請求項６に記載された情報通信方法を携帯端末装置で実行させることを特徴とするプログラム。
【発明の詳細な説明】
【技術分野】
【０００１】
本発明は、非接触による通信が可能な携帯端末装置、情報通信方法、および携帯端末装置で実行されるプログラムに関する。
【背景技術】
【０００２】
近年、無線通信技術の普及に伴い、時間や場所を気にすることなく情報機器同士を自由に接続できる環境が整備されつつある。そして、無線通信技術による情報機器同士の接続は、有線通信技術による接続の場合に比べて、使用範囲の制限が緩やかであるため、ユーザにとっては、その情報機器を使った作業（例えば、遠隔操作による文書の印刷等）が行いやすいという利点がある。しかし、一方で無線通信をするために無線機器同士の接続設定は、有線通信技術による通信の場合に比べて複雑な操作が必要となる場合が多い。例えば、ユーザがオフィス等の職場環境にいる場合には、システム管理者等通信技術に習熟した人間にその通信設定を依頼する等して、その設定作業を軽減することができるが、外出先で仕事を行うモバイルワーカ等は、接続設定を自ら行う必要があり、その作業負担が大きいという問題があった。
【０００３】
このような問題に対して、例えば特許文献１では、携帯通信端末が、近距離通信機能を用いて情報処理装置に指示情報を伝送し、その指示情報によって情報処理装置が遠距離通信機能可能な設定を行い、大容量のデータを携帯通信端末から取得して処理する技術が開示されている。この特許文献１に開示された技術によれば、ユーザは通信設定接続したいＭＦＰ（Multi Function Peripheral）を携帯端末装置で設定し、そのＭＦＰに近づくだけで近距離通信が確立するので、ユーザは容易に通信接続をすることができる。
【０００４】
【特許文献１】特開２００６−１６３７９１号公報
【発明の開示】
【発明が解決しようとする課題】
【０００５】
しかしながら、特許文献１に記載された技術では、ＭＦＰとの近距離通信が確立していても、一旦その近距離通信の範囲外の場所にユーザが移動してしまうと、近距離通信が確立されていたＭＦＰとは、もはや近距離通信できないため、再びそのＭＦＰに近づいて指示情報を送信する必要がり、ユーザの行動範囲が制限されてしまうという問題があった。さらには、携帯通信端末をＭＦＰとの近距離通信の範囲にまで近づけてからでないと指示情報を送信することができないので、例えば、近距離通信範囲の外にいるユーザが、その指示情報に応じて文書データを印刷する場合には、一旦ＭＦＰに近づく必要があり、印刷完了までに時間がかかって業務効率が悪くなってしまうという問題があった。
【０００６】
また、ＭＦＰにおいては、文書データを複数部数印刷する場合に、その１部のみを印刷して、ユーザがその文書の印刷具合を確認できる「試し印刷」という機能があるが、ユーザが印刷具合を確認して、残りの文書を印刷したい場合であっても、その印刷指示を遠距離通信によって指示を送信できないという問題があった。さらには、ユーザがＭＦＰの近くにいて、ページ数が少ない等比較的容量が小さい文書データをＭＦＰから印刷する場合であっても、既に確立している近距離通信から遠距離通信に通信方法に切り替えてから文書データを印刷する必要があり、ユーザにとって操作負担が大きいという問題があった。
【０００７】
本発明は、上記に鑑みてなされたものであって、ユーザの操作負担を軽減するとともに、通信環境やデータの種類に応じて適切な通信技術を適用して効率よく情報処理ができる携帯端末装置、情報通信方法および携帯端末装置で実行されるプログラムを提供することを目的とする。
【課題を解決するための手段】
【０００８】
本発明の画像処理装置は、情報処理装置と非接触通信により通信し、互いに異なる通信範囲を有する第１の通信手段および第２の通信手段を備える携帯端末装置において、前記第１の通信手段は、前記情報処理装置が前記第１の通信手段の通信範囲内に存在した場合に、前記第２の通信手段の通信を確立するための通信設定情報および前記第２の通信手段によって送信する文書または画像を含んだ実体情報を処理する設定を示す設定情報を、非接触通信で前記情報処理装置に送信し、前記第２の通信手段は、前記第１の通信手段によって送信した前記通信設定情報に基づいて前記情報処理装置との通信を確立し、前記実体情報、及び前記設定情報を、非接触通信で前記情報処理装置に送信し、前記設定情報の送信指示の入力を受け付ける入力受付手段と、前記実体情報の属性情報に基づいて、前記第１の通信手段、及び前記第２の通信手段のいずれにより前記実体情報を送信するかを決定する属性基準を記憶した属性記憶手段と、前記情報処理装置との間で前記第１の通信手段による通信または前記第２の通信手段による通信のいずれの通信を行うかを、前記実体情報の属性情報を前記属性記憶手段に記憶された前記属性基準と照らし合わせることで判定する属性判定手段と、を備え、前記第１の通信手段は、前記属性判定手段が前記第１の通信手段で通信を行うと判定した場合に、前記実体情報を非接触通信で前記情報処理装置に送信し、前記第２の通信手段は、前記属性判定手段が前記第２の通信手段で通信を行うと判定した場合に、入力された前記送信指示に基づいて、前記実体情報を非接触通信で前記情報処理装置に送信することができる。
【００１１】
また、請求項２にかかる発明は、請求項１に記載の携帯端末装置において、前記第１の通信手段は、前記属性判定手段が前記実体情報の大きさが所定のサイズ以下であると判定した場合に、前記実体情報を送信すること、を特徴とする。 
【００１２】
また、請求項３にかかる発明は、請求項１に記載の携帯端末装置において、前記第１通信の手段は、前記属性判定手段が前記実体情報の大きさが所定のページ数以下であると判定した場合に、前記実体情報を送信すること、を特徴とする。
【００１３】
また、請求項４にかかる発明は、請求項１に記載の携帯端末装置において、前記第１の通信手段は、前記属性判定手段が前記実体情報が所定の形式で作成されていると判定した場合に、前記実体情報を送信すること、を特徴とする。
【００１４】
また、請求項５にかかる発明は、請求項１に記載の携帯端末装置において、前記第１の通信手段は、前記属性判定手段が前記属性情報が秘密状態を示すものが含まれると判定した場合に、前記実体情報を送信すること、を特徴とする。 
【００１５】
また、請求項６にかかる発明は、情報処理装置と非接触通信により通信し、互いに異なる通信範囲を有する第１の通信手段および第２の通信手段を備える携帯端末装置で実行される情報通信方法において、前記第１の通信手段が、前記情報処理装置が前記第１の通信手段の通信範囲内に存在した場合に、前記第２の通信手段の通信を確立するための通信設定情報および前記第２の通信手段によって送信する文書または画像を含んだ実体情報を処理する設定を示す設定情報を、非接触通信で前記情報処理装置に送信する第１の通信ステップと、前記第２の通信手段が、前記第１の通信ステップによって送信した前記通信設定情報に基づいて前記情報処理装置との通信を確立し、前記実体情報、及び前記設定情報を非接触通信で前記情報処理装置に送信する第２の通信ステップと、入力受付手段が、前記設定情報の送信指示の入力を受け付ける入力受付ステップと、属性判定手段が、前記情報処理装置との間で前記第１の通信手段による通信または前記第２の通信手段による通信のいずれの通信を行うかを、前記第１の通信手段、及び前記第２の通信手段のいずれにより前記実体情報を送信するかを決定する属性記憶手段に記憶された前記属性基準と前記実体情報の属性情報を照らし合わせることで判定する属性判定ステップと、を含み、前記第１の通信ステップは、前記属性判定手段が前記第１の通信手段で通信を行うと判定した場合に、前記実体情報を非接触通信で前記情報処理装置に送信し、前記第２の通信ステップは、前記属性判定手段が前記第２の通信手段で通信を行うと判定した場合に、入力された前記送信指示に基づいて、前記実体情報を非接触通信で前記情報処理装置に送信すること、を特徴とする。
【００１７】
また、請求項７にかかる発明は、請求項６に記載された情報通信方法を携帯端末装置で実行させることを特徴とする。
【発明の効果】
【００１８】
請求項１にかかる発明によれば、情報処理装置と非接触通信により通信し、互いに異なる通信範囲を有する第１の通信手段および第２の通信手段を備える携帯端末装置において、前記第１の通信手段が、前記情報処理装置が前記第１の通信手段の通信範囲内に存在した場合に、前記第２の通信手段の通信を確立するための通信設定情報および前記第２の通信手段によって送信する文書または画像を含んだ実体情報を処理する設定を示す設定情報を、非接触通信で前記情報処理装置に送信し、前記第２の通信手段が、前記第１の通信手段によって送信した前記通信設定情報に基づいて前記情報処理装置との通信を確立し、前記実体情報を非接触通信で前記情報処理装置に送信し、入力受付手段が、前記設定情報の送信指示の入力を受け付け、判定手段が、前記情報処理装置との間で前記第１の通信手段による通信または前記第２の通信手段による通信のいずれの通信が可能か否かを判定し、前記第２の通信手段は、前記判定手段が前記第１の通信手段による通信が可能でないと判定した場合に、入力された前記送信指示に基づいて、前記設定情報を送信するので、ユーザにとって好ましい通信方法を選択させ、通信操作の負担を軽減することができるという効果を奏する。
【００１９】
請求項２にかかる発明によれば、請求項１に記載の携帯端末装置において、前記判定手段は、前記実体情報の属性を判定する属性判定手段と、をさらに備え、前記第１の通信手段が、前記判定手段が前記第１の通信手段による通信が可能であると判定した場合であって、前記属性判定手段が判定した前記実体情報の属性に応じて、前記実体情報を送信し、前記第２の通信手段が、前記判定手段が前記第１の通信手段による通信が可能でないと判定した場合であって、前記属性判定手段が判定した前記実体情報の属性に応じて、前記実体情報を送信するので、携帯端末装置における通信接続処理を軽減できるとともに、安全に通信することができるという効果を奏する。
【００２０】
請求項３にかかる発明によれば、請求項２に記載の携帯端末装置において、前記第１の通信手段は、前記属性判定手段が所定の条件を満たした場合に、前記実体情報を送信するので、携帯端末装置における通信接続処理を軽減できるとともに、より安全に通信することができるという効果を奏する。
【００２１】
請求項４にかかる発明によれば、請求項３に記載の携帯端末装置において、前記第１の通信手段は、前記属性判定手段が前記実体情報の大きさが所定のサイズ以下であると判定した場合に、前記実体情報を送信するので、容量に応じて携帯端末装置における通信接続処理を軽減できるという効果を奏する。
【００２２】
請求項５にかかる発明によれば、請求項３または４に記載の携帯端末装置において、前記第１の通信手段は、前記属性判定手段が前記実体情報の大きさが所定のページ数以下であると判定した場合に、前記実体情報を送信するので、ページ数に応じて携帯端末装置における通信接続処理を軽減できるという効果を奏する。
【００２３】
請求項６にかかる発明によれば、請求項３乃至５のいずれか１項に記載の携帯端末装置において、前記第１の通信手段は、前記属性判定手段が前記実体情報が所定の形式で作成されていると判定した場合に、前記実体情報を送信するので、データの形式に応じて携帯端末装置における通信接続処理を軽減できるという効果を奏する。
【００２４】
請求項７にかかる発明によれば、請求項３乃至６のいずれか１項に記載の携帯端末装置において、前記第１の通信手段は、前記属性判定手段が前記属性情報が秘密状態を示すものが含まれると判定した場合に、前記実体情報を送信するので、より安全な通信操作を確保することができるという効果を奏する。
【００２５】
請求項８にかかる発明によれば、情報処理装置と非接触通信により通信し、互いに異なる通信範囲を有する第１の通信手段および第２の通信手段を備える携帯端末装置で実行される情報通信方法において、前記第１の通信手段が、前記情報処理装置が前記第１の通信手段の通信範囲内に存在した場合に、前記第２の通信手段の通信を確立するための通信設定情報および前記第２の通信手段によって送信する文書または画像を含んだ実体情報を処理する設定を示す設定情報を、非接触通信で前記情報処理装置に送信する第１の通信ステップと、前記第２の通信手段が、前記第１の通信ステップによって送信した前記通信設定情報に基づいて前記情報処理装置との通信を確立し、前記実体情報を非接触通信で前記情報処理装置に送信する第２の通信ステップと、入力受付手段が、前記設定情報の送信指示の入力を受け付ける入力受付ステップと、判定手段が、前記情報処理装置との間で前記第１の通信手段による通信または前記第２の通信手段による通信のいずれの通信が可能か否かを判定する判定ステップと、を含み、前記第２の通信ステップは、前記判定ステップにおいて前記第１の通信ステップによる通信が可能でないと判定された場合に、入力された前記送信指示に基づいて、前記設定情報を送信するので、ユーザにとって好ましい通信方法を選択させ、通信操作の負担を軽減することができるという効果を奏する。
【００２６】
請求項９にかかる発明によれば、請求項８に記載の情報通信方法において、前記判定ステップは、前記実体情報の属性を判定する属性判定ステップと、をさらに含み、前記第１の通信ステップは、前記判定ステップにおいて前記第１の通信ステップにおける通信が可能であると判定された場合であって、前記属性判定ステップにおいて判定された前記実体情報の属性に応じて、前記実体情報を送信し、前記第２の通信ステップは、前記判定ステップにおいて前記第１の通信ステップにおいて通信が可能でないと判定された場合であって、前記属性判定ステップにおいて判定された前記実体情報の属性に応じて、前記実体情報を送信するので、携帯端末装置における通信接続処理を軽減できるとともに、安全に通信することができるという効果を奏する。
【００２７】
請求項１０にかかる発明によれば、請求項８または９に記載された情報通信方法をコンピュータで実行させることができる情報処理プログラムを提供できるという効果を奏する。
【発明を実施するための最良の形態】
【００２８】
以下に添付図面を参照して、本発明にかかる携帯端末装置、情報通信方法、および携帯端末装置で実行されるプログラムの最良な実施の形態を詳細に説明する。なお、本発明はこれらの実施の形態に限定されるものではない。
【００２９】
（第１の実施の形態）
第１の実施の形態について、添付図面を参照して説明する。本実施の形態は、情報処理装置の一例として、コピー機能、ファクシミリ（ＦＡＸ）機能、プリント機能、スキャナ機能および入力画像データ（スキャナ機能により読取られた画像データや、プリント機能により形成された画像データ、ＦＡＸ機能により受信した画像データ）を配信する機能等を備えたいわゆる複合機（ＭＦＰ：Multi Function Peripheral）に適用する。尚、以下では、情報処理装置の一例として複合機に適用して説明しているが、印刷機能のみを備える印刷装置、スキャナ機能のみを備えるスキャナ装置のほか、これらの機能を備える画像形成装置等の情報処理装置であれば適用可能であり、上述した複合機に限られるものではない。
【００３０】
まず、本発明が適用される複合機および携帯端末装置を含む情報処理システムの構成例について説明する。図１は、第１の実施の形態にかかる情報処理システムの構成を示すイメージ図である。本実施の形態にかかる情報処理システム１０は、複合機１００と、携帯端末装置２００とを備え、複合機１００と携帯端末装置２００とは、後述するように２つの通信手段によって、破線で示す通信範囲１及び２点鎖線で示す通信範囲２の範囲での通信が可能である。
【００３１】
図２は、本実施の形態にかかる情報処理システム１０の構成を示すブロック図である。複合機１００は、ＮＦＣ通信部１０１と、ブルートゥース通信部１０２と、スキャナ部１０３と、データ処理部１０４と、プリンタ部１０５と、ファクシミリ送受信部１０６とを備えている。
【００３２】
ＮＦＣ通信部１０１は、ＮＦＣ（Near Field Communication）と呼ばれる非接触ＩＣなどを含む無線通信規格により携帯端末装置２００と非接触で双方向通信するものであり、具体的には、後述する携帯端末装置のＮＦＣ通信部２０１からの情報を非接触で読み出す通信制御プログラムを内蔵したリーダ／ライタおよび／またはタグの機能を有する。ＮＦＣ通信部１０１は、もう一つの通信手段であるブルートゥース通信部１０２と比較して近距離、すなわち通信距離が０〜１０数cmの非接触無線通信によりデータを送受信する。また、ＮＦＣ通信部１０１によるＮＦＣ規格の非接触通信では、データ転送速度（１００〜４００ｋｂｐｓ）がブルートゥース通信部１０２よるBluetooth（Ｒ）規格の無線通信のデータ転送速度（１〜１０Ｍｂｐｓ）よりも遅いため、比較的小容量のデータの通信に用いる。なお、ＮＦＣ通信部１０１は、通信規格をＮＦＣに限る必要はなく、比較的近距離、すなわち後述するBluetooth（Ｒ）規格の無線通信の通信範囲より狭い通信範囲での無線通信が可能であればIrDA(Infrared Data Association)など他の通信規格であってもよい。ＮＦＣ通信部１０１は、本発明にかかる第１の通信手段を構成する。
【００３３】
また、ＮＦＣ通信部１０１は、携帯端末装置２００がＮＦＣ通信部１０１の通信圏内に存在した場合に、携帯端末装置２００のＮＦＣ通信部２０１の通信制御プログラムと同じ通信プロトコルによって携帯端末装置２００のＮＦＣ通信部２０１との通信を確立し、携帯端末装置２００から送信された通信設定情報、印刷設定情報を受信する。ここで、通信設定情報とは、ブルートゥース通信部１０２での無線通信を行う際に必要となる初期設定情報である。また、印刷設定情報とは、携帯端末装置２００において設定され、図３に示すように印刷対象となる文書名、および図４に示すようにその文書を複合機１００から印刷するための印刷設定情報（例えば、倍率変更、両面印刷、集約、ステープル有無、部数等の設定情報）である。このように、データの送受信が容易なＮＦＣ通信によって携帯端末装置２００と複合機１００の間でブルートゥース通信の通信設定情報や、印刷設定情報を受信することにより、ユーザは複合機１００に携帯端末装置２００を近づけるだけで特別な操作を行うことなく、通信相手である複合機１００を特定でき、ブルートゥース通信が可能となるため、利便性が向上する。
【００３４】
ブルートゥース通信部１０２は、Bluetooth（Ｒ）規格により携帯端末装置２００と非接触で通信するものである。Bluetooth（Ｒ）規格の無線通信方式を採用したブルートゥース通信部１０２は、ＮＦＣ規格の非接触通信方式のＮＦＣ通信部１０１と比較して大容量かつ高速（１〜１０Ｍｂｐｓ）でデータの送受信を行う。また、Bluetooth（Ｒ）規格の無線通信方式を採用したブルートゥース通信部１０２では、機器間の距離が１０ｍ以内であれば障害物があっても利用することができ、ＮＦＣ規格の通信方式の通信範囲に比べて通信範囲が長くなっている。
【００３５】
ブルートゥース通信部１０２は、具体的には、データの送受信を担うBluetooth（Ｒ）規格のトランシーバ等のBluetooth（Ｒ）  Ｉ／Ｆ（インタフェース）と、通信制御部とから構成される。Bluetooth（Ｒ）  Ｉ／Ｆは、接続先の携帯端末装置２００との間でデータの送受信を担うものである。通信制御部は、携帯端末装置２００との間でデータを送受信する前に、Bluetooth（Ｒ）  Ｉ／Ｆを介して通信設定情報を通信先と交換して、Bluetooth（Ｒ）規格の無線通信を確立する処理を行う通信制御プログラムである。この通信設定情報としては、Bluetooth（Ｒ）  Ｉ／Ｆに割り当てられた固有のアドレス情報を用いる。
【００３６】
なお、本実施の形態では、無線通信としてBluetooth（Ｒ）規格に準拠したブルートゥース通信部１０２を用いているが、これに限定されるものではなく、Bluetooth（Ｒ）規格に代えて他の規格、例えば、ＩＥＥＥ８０２．１１ａ／ＩＥＥＥ８０２．１１ｂ／ＩＥＥＥ８０２．１１ｎ／ＩＥＥＥ８０２．１１ｇなどいわゆる無線ＬＡＮ規格の方式で無線通信を行うように構成することができる。この場合、データの送受信を担うＩＥＥＥ８０２．１１ａ／ＩＥＥＥ８０２．１１ｂ規格のネットワークボードとＩＥＥＥ８０２．１１ａ／ＩＥＥＥ８０２．１１ｂによる無線通信の確立やデータの送受信を制御する通信制御部（通信制御プログラム）で無線ＬＡＮ通信部を構成すればよい。また、ＵＷＢ通信方式で機器間の距離が３ｍ以内なら有線のＵＳＢ２．０と同等の４８０Ｍｂｐｓでの通信が可能なWireless USB規格で無線通信を行うように構成することができる。この場合には、データの送受信を担うWireless USB規格としてＵＷＢデバイス、無線通信の確立やデータの送受信を制御する通信制御部（通信制御プログラム）によりWireless USB通信部を構成すればよい。
【００３７】
また、ブルートゥース通信部１０２は、ＮＦＣ通信によって携帯端末装置２００から通信設定情報を受信し、受信された通信設定情報によって携帯端末装置２００とのブルートゥース通信が確立した場合は、ユーザがあらかじめ携帯端末装置２００で指定した送信対象となるデータを送受信する。なお、送受信されるデータは、画像データや文書データ、テキストデータ、その他様々な種類のデータ（すなわち、実体となるデータ）であれば、いずれのデータであってもよい。
【００３８】
スキャナ部１０３は、ＣＣＤ（Charge Coupled Devices）等のような撮像素子で原稿を読み取る。なお、スキャナ部１０３には、ＡＤＦ（Auto Document Feeder）を搭載して、自動原稿送りを行う機構を設けてもよい。
【００３９】
データ処理部１０４は、ブルートゥース通信部１０２によって受信したデータまたはブルートゥース通信部１０２によって送信するデータ等に対してＮＦＣ通信部１０１によって受信した印刷設定情報に応じた処理を行う。例えば、文書データがＰＤＦ（Portable Document Format）データの場合であって、印刷設定情報として、図４に示すような印刷設定情報が、“倍率変更”が“１００％”、“両面・片面”の設定が“両面”、“集約”の設定が“集約なし”、製本（ステープル）“の設定が“ステープルなし”、“部数”の設定が“１部”となっている場合には、これらの設定情報をそのＰＤＦデータの形式に対応したＰＪＬ（Printer Job Language）データに変換した形式データを生成する。また、ＰＤＦ等の文書データを携帯端末装置２００から受信すると、生成した形式データをＰＤＦデータのヘッダ情報やフッタ情報等として読み取って、上述した倍率変更や両面印刷等のレイアウト加工の処理を行う。また、スキャナ部１０３から読取ったデータに対しては、携帯端末装置２００から受信したスキャナ設定情報に従って画像処理やレイアウト加工等を行う。
【００４０】
プリンタ部１０５は、データ処理部１０４によって画像処理やレイアウト加工等されたデータを印刷する。
【００４１】
ファクシミリ送受信部１０６は、スキャナ部１０３によって読込まれたデータや携帯端末装置２００から送信されたデータを、ネットワークを介して他の複合機やファクシミリ装置、クライアント端末などに送信する。
【００４２】
次に、携帯端末装置２００について説明する。携帯端末装置２００は、ＮＦＣ通信部２０１と、ブルートゥース通信部２０２と、データ記憶部２０３と、操作入力部２０４と、操作表示部２０５と、通信判断部２０６と、データ処理部２０７とを備えている。なお、携帯端末装置２００は、具体的には携帯電話や、ＰＤＡ（Personal Digital Assistants）、ノートパソコン、携帯型記憶媒体等である。
【００４３】
ＮＦＣ通信部２０１は、携帯端末装置２００が複合機１００のＮＦＣ通信部１０１の通信圏内に存在した場合に、複合機１００のＮＦＣ通信部１００の通信制御プログラムと同じ通信プロトコルによって複合機１００のＮＦＣ通信部１０１との通信を確立し、携帯端末装置２００から、ブルートゥース通信部２０２による通信を確立するための通信設定情報、複合機１００から文書等を印刷するための印刷設定情報を送信する。
【００４４】
具体的には、ＮＦＣ通信部２０１は、タグと、通信の確立やデータの送受信を制御する通信制御プログラムとを内蔵したＮＦＣチップであり、このタグに上記通信設定情報が記憶されている。このＮＦＣ通信部２０１が複合機１００に近接し、複合機１００の通信範囲内にＮＦＣ通信部２０１が存在すると、通信が確立され複合機１００のＮＦＣ通信部（リーダ／ライタ）１０１によってタグ内の情報が読み取られることにより送信されるようになっている。
【００４５】
なお、この場合には、タグと通信制御プログラムとを内蔵したＮＦＣチップを非接触式ＩＣカードに保存しておき、携帯端末装置２００の本体と独立して、通信設定情報を複合機１００に送信する構成としてもよい。
【００４６】
なお、本実施の形態では、携帯端末装置２００のＮＦＣ通信部２０１に通信設定情報を記憶したタグを設け、複合機１００のＮＦＣ通信部１０１をリーダ／ライタとして構成したが、これに限定されるものではない。携帯端末装置２００のＮＦＣ通信部２０１をリーダ／ライタとし、複合機１００のＮＦＣ通信部１０１をタグとして構成してもよい。この場合には、複合機１００のＮＦＣ通信部１０１に通信設定情報を記憶しておき、携帯端末装置２００のＮＦＣ通信部２０１をＮＦＣ通信部１０１に近接させて通信を確立し、図示しない制御部によって、ＮＦＣ通信部１０１の通信設定情報をＮＦＣ通信部２０１に転送し、ＮＦＣ通信部２０１のリーダ／ライタによって、転送された通信設定情報を携帯端末装置２００の制御部で処理するように構成すればよい。
【００４７】
また、携帯端末装置２００のＮＦＣ通信部２０１と複合機１００のＮＦＣ通信部１０１の両方にタグとリーダ／ライタの両機能を設けるように構成してもよい。
【００４８】
ブルートゥース通信部２０２は、複合機１００のブルートゥース通信部１０２の通信制御プログラムと同じ通信プロトコルによって複合機１００のブルートゥース通信部１０２との通信を確立し、通信が確立した場合は、データ記憶部２０３に格納されているデータを複合機１００に送信する。また、ブルートゥース通信部２０２は、複合機１００の機能を利用して処理されたデータを受信する。
【００４９】
データ記憶部２０３は、複合機１００の機能を利用するためのデータを格納する。例えば、複合機１００のプリント機能を利用する場合には、その文書データ（例えば、図３に示すような“文書１”乃至“文書４”等の文書データ）であり、スキャナ機能を利用する場合には、複合機１００がスキャンした文書データを受信した場合の文書データのことである。また、データ記憶部２０３は、図４に示すような、複合機１００からの印刷機能を利用して文書データを印刷するための印刷設定や、スキャナを利用するためのスキャン設定情報等があらかじめ記憶されている。ユーザは後述する操作入力部２０４を操作することによって、これらの設定情報を指定して、複合機１００からその設定に従った文書データの印刷等をすることができる。
【００５０】
操作入力部２０４は、プッシュボタン等の操作ボタンから構成され、ユーザからの文書データの選択指示や、印刷設定情報、スキャナ設定情報の入力を受付ける。例えば、ユーザは、図３に示すように、携帯端末装置２００のボタン操作等によって、データ記憶部２０３に格納された文書データを選択したり、図４に示すように、ボタン操作等によって印刷設定情報や、スキャナ設定情報を指定する。また、操作入力部２０４は、ＮＦＣ通信部２０１による通信を行うか、ブルートゥース通信部２０２による通信を行うかの指示入力をユーザから受け付ける。この指示入力を受け付けることによって、後述する通信判断部２０６が、ＮＦＣ通信部２０１による通信が可能でないと判断した場合には、その指示内容に応じて、ブルートゥース通信部２０２が印刷設定情報等を送信することとなる。
【００５１】
操作表示部２０５は、液晶ディスプレイ等の画面から構成され、データ記憶部２０３に記憶された文書データの名称や、その印刷設定情報やスキャナ設定情報を表示する。例えば、印刷設定情報を指定する場合には、図３または図４に示すように、操作表示部２０５は、ユーザの操作入力部２０４の操作に応じて、データ記憶部２０３に記憶された文書データの名称“文書２”や、その文書データの印刷設定情報である“倍率変更”“両面・片面”“集約”“製本（ステープル）”“部数”等の各種印刷設定情報を表示する。また、スキャン設定情報を指定する場合には、“原稿種類”、“解像度”、“読み取りサイズ”等のスキャン設定情報を表示する。その他電波強度の強弱を示すメッセージ等を表示する。
【００５２】
通信判断部２０６は、携帯端末装置２００の使用状況、例えば、携帯端末装置２００と複合機１００との通信距離や、ＮＦＣ通信部２０１、ブルートゥース通信部２０２の電波強度等によって、ＮＦＣ通信またはブルートゥース通信が確立した後、その携帯端末装置２００と複合機１００との間の通信が維持されているか否かを判断し、ＮＦＣ通信部２０１によって通信するか、ブルートゥース通信部２０２によって通信するかを選択する。ここでは通信判断部２０６は、上述した電波強度等によって、複合機１００との間の通信を、ＮＦＣ通信部２０１で通信するか、ブルートゥース通信部２０２で通信するかを選択するが、複合機１００と携帯端末装置２００の通信範囲を定めるものであれば、これらに限定されるものではない。
【００５３】
データ処理部２０７は、ブルートゥース通信部２０２によって送信する文書データ等に対してＮＦＣ通信部２０１によって送信する印刷設定情報や、スキャナ設定情報に応じた処理を行う。このデータ処理部２０７は、ユーザが、複合機１００の処理能力が低いと考えられると判断した場合には、操作入力部２０４からの操作によって、形式データを生成し、印刷用のデータ形式に加工する処理を行う。例えば、文書データがＰＤＦ（Portable Document Format）データの場合であって、印刷設定情報として、図４に示すように、“倍率変更”が“１００％”、“両面・片面”の設定が“両面”、“集約”の設定が“集約なし”、製本（ステープル）“の設定が“ステープルなし”、“部数”の設定が“１部”となっている場合には、これらのデータをそのＰＤＦデータの形式に対応したＰＪＬ（Printer Job Language）データに変換した形式データを生成し、その形式データをＰＤＦデータのヘッダ情報やフッタ情報等として結合する。
【００５４】
次に、以上のように構成されている複合機１００と携帯端末装置２００とを備える情報処理システム１０による無線通信確立およびデータ処理について説明する。図５は、情報処理システム１０が行う無線通信確立処理手順およびデータ処理手順を示すフローチャートである。尚、以下の説明では、ユーザは、携帯端末装置２００の操作入力部２０４を操作して、文書データ（例えば、図３において網掛けして示す“文書２”）を選択し、さらに図４に示す各印刷設定情報を既に指定しているものとする。
【００５５】
まず、携帯端末装置２００において、ＮＦＣ通信部２０１は、携帯端末装置２００のＮＦＣ通信部２０１と複合機１００のＮＦＣ通信部１０１との通信が確立したか否かを判断する（ステップＳ５０１）。複合機１００のＮＦＣ通信部１０１との通信が確立していない、すなわち携帯端末装置２００が通信圏内に存在せず電波強度が一定の値に達していないと判断した場合は（ステップＳ５０１：Ｎｏ）、ステップＳ５０１に戻り、複合機１００のＮＦＣ通信部１０１との通信が可能となるまで繰り返す。
【００５６】
同様に、複合機１００において、ＮＦＣ通信部１０１は携帯端末装置２００のＮＦＣ通信部２０１との通信が確立したか否かを判断する（ステップＳ５０２）。携帯端末装置２００のＮＦＣ通信部２０１との通信が確立していない、すなわち携帯端末装置２００が通信圏内に存在せず電波強度が一定の値に達していないと判断した場合は（ステップＳ５０２：Ｎｏ）、ステップＳ５０２に戻り、携帯端末装置２００のＮＦＣ通信部２０１との通信が確立するまで繰り返す。
【００５７】
次に、携帯端末装置２００のＮＦＣ通信部２０１との通信を確立すると、ＮＦＣ通信部２０１は、ユーザが操作入力部２０４から入力した図３に示すような文書データ名、図４に示すような印刷設定情報を、複合機１００のＮＦＣ通信部１０１に送信する（ステップＳ５０３）。ここで、携帯端末装置２００との通信が確立した場合とは、ユーザが携帯端末装置２００のＮＦＣ通信部２０１と複合機１００のＮＦＣ通信部１０１とをタッチさせるような場合であり、ユーザが利用したい複合機１００を確実に指示することができる。
【００５８】
そして、複合機１００においてＮＦＣ通信部１０１は、携帯端末装置２００のＮＦＣ通信部２０１から送信された文書データ名、印刷設定情報を受信する（ステップＳ５０４）。
【００５９】
続いて、データ処理部１０４は、携帯端末装置２００から受信した印刷設定情報から、ＰＪＬデータ等の形式データを生成する（ステップＳ５０５）。
【００６０】
そして、ＮＦＣ通信部１０１は携帯端末装置２００との間で通信設定情報を交換する（ステップＳ５０６、Ｓ５０７）。具体的には、複合機１００のＮＦＣ通信部１０１から携帯端末装置２００に対して通信設定情報の送信を要求し、携帯端末装置２００のＮＦＣ通信部２０１はブルートゥース通信の通信設定情報を送信する。なお、ブルートゥース通信の通信設定情報は、ステップＳ５０７、Ｓ５０８において、文書データ名や印刷設定情報とともに送信してもよい。
【００６１】
携帯端末装置２００において、ＮＦＣ通信部２０１は、携帯端末装置２００のブルートゥース通信部２０２と複合機１００のブルートゥース通信部１０２との通信が確立したか否かを判断する（ステップＳ５０８）。複合機１００のブルートゥース通信部１０２との通信が確立していないと判断した場合は（ステップＳ５０８：Ｎｏ）、処理を終了する。複合機１００のブルートゥース通信部１０２との通信が確立したと判断した場合は（ステップＳ５０８：Ｙｅｓ）、ブルートゥース通信部２０２は、操作入力部２０４からの操作によって指定されたデータ記憶部２０３に格納されている文書データを複合機１００に送信する（ステップＳ５１０）。
【００６２】
また、複合機１００において、ブルートゥース通信部１０２は携帯端末装置２００のブルートゥース通信部２０２との通信が確立したか否かを判断する（ステップＳ５０９）。携帯端末装置２００のブルートゥース通信部２０２との通信が確立していないと判断した場合は（ステップＳ５０９：Ｎｏ）、処理を終了する。
【００６３】
一方、携帯端末装置２００のブルートゥース通信部２０２との通信が確立したと判断した場合は（ステップＳ５０９：Ｙｅｓ）、ブルートゥース通信部１０２は携帯端末装置２００から送信されたデータを受信する（ステップＳ５１１）。ここで、受信するデータは、印刷設定情報に従って加工される前のデータである。
【００６４】
データ処理部１０４は、ステップＳ５０６で生成した形式データと、ステップＳ５１１で受信した文書データを結合して印刷用データを生成する（ステップＳ５１２）。そして、プリンタ部１０７は、処理されたデータを印刷する（ステップＳ５１３）。
【００６５】
このように、ＮＦＣ通信部２０１が、複合機１００がＮＦＣ通信部２０１の通信範囲内に存在した場合に、ブルートゥース通信部２０２の通信を確立するための通信設定情報およびブルートゥース通信部２０２によって送信する文書または画像を含んだ実体情報を処理する設定を示す設定情報を、ＮＦＣ通信部２０１を介した非接触通信で前記情報処理装置に送信し、ブルートゥース通信部２０２が、ＮＦＣ通信部２０１によって送信した通信設定情報に基づいて複合機１００との通信を確立し、実体情報をブルートゥース通信部２０２を介して非接触通信で複合機１００に送信するので、通信操作の負担を軽減することができる。
【００６６】
（第２の実施の形態）
第１の実施の形態では、携帯端末装置２００のＮＦＣ通信部２０１と複合機１００のＮＦＣ通信部１０１との間の通信によって印刷設定情報を複合機１００に送信し、その後ブルートゥース通信部２０２とブルートゥース通信部１０２との間の通信によって文書データを複合機１００に送信し、データ処理部１０４で印刷設定情報と文書データを結合して印刷することとした。しかし、複合機１００の種類によっては、携帯端末装置２００に比べて処理能力が劣る場合も存在する。そこで、印刷設定情報と文書データを結合した印刷用のデータを携帯端末装置２００で生成した上で複合機１００に送信し、複合機１００が受信した印刷用データを印刷する場合について説明する。本実施の形態にかかる情報処理システムにおける機器構成は第１の実施の形態と同じ構成であるため、ブロック図による各構成の説明については省略し、無線通信確立処理手順およびデータ処理手順について、フローチャートを用いて説明する。また、以下の説明では、上述した第１の実施の形態と同一の処理には同一の符号を付してその説明を省略し、異なる処理についてのみ説明している。
【００６７】
図６は、第２の実施の形態にかかる情報処理システム１０が行う無線通信確立処理手順およびデータ処理手順についてのフローチャートである。
【００６８】
携帯端末装置２００のＮＦＣ通信部２０１と複合機１００のＮＦＣ通信部１０１との通信が確立すると（ステップＳ５０１、Ｓ５０２）、データ処理部２０７は、操作入力部２０４で設定された印刷設定情報から形式データを生成する（ステップＳ６０１）。
【００６９】
そして、データ処理部２０７は、ステップＳ６０１で生成した形式データと、ユーザによって操作入力部２０４から指定された文書データとを結合して印刷用データを生成する（ステップＳ６０２）。
【００７０】
そして、ブルートゥース通信部の通信設定情報の交換（ステップＳ５０６、Ｓ５０７）等の処理を行い、ブルートゥース通信部２０２とブルートゥース通信部１０２との間の通信が確立すると（ステップＳ５０８、Ｓ５０９）、ブルートゥース通信部２０２は、ステップＳ６０２で生成した印刷用データを複合機１００に送信し（ステップＳ６０３）、複合機１００のブルートゥース通信部１０２は、携帯端末装置２００から送信されたデータを受信する（ステップＳ６０４）。ここで、ブルートゥース通信部１０２が受信するデータは、ステップＳ６０２において印刷設定情報に従って加工された後の印刷用データである。
【００７１】
このように、複合機１００の処理能力が低い場合であっても、ＮＦＣ通信部２０１が、複合機１００がＮＦＣ通信部２０１の通信範囲内に存在した場合に、ブルートゥース通信部２０２の通信を確立するための通信設定情報およびブルートゥース通信部２０２によって送信する文書または画像を含んだ実体情報を処理する設定を示す設定情報を、ＮＦＣ通信部２０１を介した非接触通信で前記情報処理装置に送信し、ブルートゥース通信部２０２が、ＮＦＣ通信部２０１によって送信した通信設定情報に基づいて複合機１００との通信を確立し、実体情報をブルートゥース通信部２０２を介して非接触通信で複合機１００に送信するので、通信操作の負担を軽減することができる。
【００７２】
（第３の実施の形態）
第１および第２の実施の形態では、携帯端末装置２００を複合機１００に近づけることによってＮＦＣ通信部１０１、ＮＦＣ通信部２０１が印刷設定情報等を送受信するようにしたが、ユーザが複合機１００の位置から離れてしまい、ＮＦＣ通信部による通信ができなくなってしまう場合もある。そこで、ＮＦＣ通信部による通信ができない場合であっても、ブルートゥース通信部による通信をして印刷設定情報を送受信する場合について説明する。本実施の形態にかかる情報処理システムにおける機器構成は第１、および第２の実施の形態と同じ構成であるため、ブロック図による各構成の説明については省略し、無線通信確立処理手順およびデータ処理手順について、フローチャートを用いて説明する。また、以下の説明では、上述した第１および第２の実施の形態と同一の処理には同一の符号を付してその説明を省略し、異なる処理についてのみ説明している。
【００７３】
図７は、第３の実施の形態にかかる情報処理システム１０が行う無線通信確立処理手順およびデータ処理手順についてのフローチャートである。
【００７４】
まず、携帯端末装置２００において、ブルートゥース通信部２０２は、携帯端末装置２００のブルートゥース通信部２０２と複合機１００のブルートゥース通信部１０２との通信が既に確立しているか否かを判断する（ステップＳ７０１）。複合機１００のブルートゥース通信部１０２との通信が確立していないと判断した場合は（ステップＳ７０１：Ｎｏ）、第１の実施の形態におけるステップＳ５０１に進み、第１の実施の形態における各処理を行う。
【００７５】
また、複合機１００において、ブルートゥース通信部１０２は携帯端末装置２００のブルートゥース通信部２０２との通信が既に確立しているか否かを判断する（ステップＳ７０２）。携帯端末装置２００のブルートゥース通信部２０２との通信が確立していないと判断した場合は（ステップＳ７０２：Ｎｏ）、第１の実施の形態におけるステップＳ５０２に進み、第１の実施の形態における各処理を行う。
【００７６】
そして、ブルートゥース通信部２０２が、ブルートゥース通信部２０２とブルートゥース通信部１０２との通信が確立されていると判断した場合（ステップＳ７０１：Ｙｅｓ）において、通信判断部２０６は、ＮＦＣ通信部による通信が確立されているか否かを判断し（ステップＳ７０３）、ＮＦＣ通信部による通信が確立されていない（ステップＳ７０３：Ｎｏ）と判断した場合は、通信判断部２０６は、操作入力部２０４が、ユーザから送信指示を受けているか否かを判断する（ステップＳ７０４）。通信判断部２０６は、操作入力部２０４が送信指示を受けていないと判断すると（ステップＳ７０４：Ｎｏ）、操作入力部２０４が送信指示を受けるまで待機する。
【００７７】
一方、通信判断部２０６が操作入力部２０４からの送信指示を受けたと判断した場合（ステップＳ７０４：Ｙｅｓ）、ブルートゥース通信部２０２は、ユーザが操作入力部２０４から指定された文書データ名、印刷設定情報を、複合機１００のブルートゥース通信部１０２に送信する（ステップＳ７０５）。そして、複合機１００のブルートゥース通信部１０２は、携帯端末装置２００の操作入力部２０４で指定された文書データ名、印刷設定情報を受信する（ステップＳ７０６）。尚、このステップＳ７０６以降、複合機１００で行われる処理は、第１の実施の形態の場合におけるステップＳ５０５、Ｓ５１１、Ｓ５１２、Ｓ５１３の各処理と同様の処理を行うため、ここではその説明を省略する。
【００７８】
また、ＮＦＣ通信部による通信が可能である（ステップＳ７０３：Ｙｅｓ）と判断した場合は、第１の実施の形態におけるステップＳ５０４と同様の処理を行う。そして、このステップＳ５０４以降の処理は、上述した第１の実施の形態の場合におけるステップＳ５０５、Ｓ５１１、Ｓ５１２、Ｓ５１３の各処理と同様の処理を行うため、ここではその説明を省略する。
【００７９】
このように、ＮＦＣ通信部２０１が、複合機１００がＮＦＣ通信部２０１の通信範囲内に存在した場合に、ブルートゥース通信部２０２の通信を確立するための通信設定情報およびブルートゥース通信部２０２によって送信する文書または画像を含んだ実体情報を処理する設定を示す設定情報を、ＮＦＣ通信部２０１を介した非接触通信で複合機１００に送信し、ブルートゥース通信部２０２が、ＮＦＣ通信部２０１によって送信した通信設定情報に基づいて複合機１００との通信を確立し、実体情報を介してブルートゥース通信部２０２が非接触通信で複合機１００に送信し、操作入力部２０４が、設定情報の送信指示の入力を受け付け、通信判断部２０６が、複合機１００との間でＮＦＣ通信部２０１による通信またはブルートゥース通信部２０２による通信のいずれの通信が可能か否かを判定し、ブルートゥース通信部２０２は、通信判断部２０６がＮＦＣ通信部２０１による通信が可能でないと判定した場合に、入力された送信指示に基づいて、設定情報をブルートゥース通信部２０２を介して送信するので、ユーザにとって好ましい通信方法を選択させ、通信操作の負担を軽減することができる。
【００８０】
（第４の実施の形態）
第３の実施の形態では、ＮＦＣ通信部による通信ができない場合であっても、ブルートゥース通信部による通信にしたがって、印刷設定情報を送受信する場合について説明したが、複合機１００の種類によっては、携帯端末装置２００に比べて処理能力が劣る場合も存在する。そこで、印刷設定情報と文書データを結合した印刷用のデータを携帯端末装置２００で生成した上で複合機１００にＮＦＣ通信部またはブルートゥース通信部による通信によって送信し、複合機１００は受信した印刷用データを受信して印刷する場合について説明する。本実施の形態にかかる情報処理システムにおける機器構成は第１の実施の形態と同じ構成であるため、ブロック図による各構成の説明については省略し、無線通信確立処理手順およびデータ処理手順について、フローチャートを用いて説明する。また、以下の説明では、上述した第１の実施の形態と同一の処理には同一の符号を付してその説明を省略し、異なる処理についてのみ説明している。
【００８１】
図８は、第４の実施の形態にかかる情報処理システム１０が行う無線通信確立処理手順およびデータ処理手順についてのフローチャートである。
【００８２】
まず、携帯端末装置２００において、ブルートゥース通信部２０２は、携帯端末装置２００のブルートゥース通信部２０２と複合機１００のブルートゥース通信部１０２との通信が既に確立しているか否かを判断する（ステップＳ８０１）。複合機１００のブルートゥース通信部１０２との通信が確立していないと判断した場合は（ステップＳ８０１：Ｎｏ）、第２の実施の形態におけるステップＳ６０１に進み、第２の実施の形態における各処理を行う。
【００８３】
また、複合機１００において、ブルートゥース通信部１０２は携帯端末装置２００のブルートゥース通信部２０２との通信が既に確立しているか否かを判断する（ステップＳ８０２）。携帯端末装置２００のブルートゥース通信部２０２との通信が確立していないと判断した場合は（ステップＳ８０２：Ｎｏ）、第２の実施の形態におけるステップＳ５０２に進み、第１の実施の形態における各処理を行う。
【００８４】
そして、データ処理部２０７が、形式データと文書データを結合して印刷用データを生成した後（ステップＳ６０１、Ｓ６０２）、通信判断部２０６は、ＮＦＣ通信が可能か否かを判断する（ステップＳ８０３）。そして、ＮＦＣ通信部による通信が可能であると判断した場合には（ステップＳ８０３：Ｙｅｓ）、ＮＦＣ通信部２０１は、生成した印刷用データをＮＦＣ通信部１０１に送信する（ステップＳ８０４）。
【００８５】
一方、通信判断部２０６は、ＮＦＣ通信部による通信が可能でないと判断した場合には（ステップＳ８０３：Ｎｏ）、図７におけるステップＳ７０４、図６におけるステップＳ６０３の処理と同様に、ブルートゥース通信部２０２が、生成した印刷用データをブルートゥース通信部１０２に送信する。
【００８６】
そして、複合機１００において、ＮＦＣ通信部１０１またはブルートゥース通信部１０２が、印刷用データを受信し（ステップＳ８０５、Ｓ６０４）、プリンタ部１０７は、ステップＳ８０５またはステップＳ６０４で受信した印刷用データを印刷する（ステップＳ８０６）。
【００８７】
このように、複合機１００の処理能力が低い場合であっても、ＮＦＣ通信部２０１が、複合機１００がＮＦＣ通信部２０１の通信範囲内に存在した場合に、ブルートゥース通信部２０２の通信を確立するための通信設定情報およびブルートゥース通信部２０２によって送信する文書または画像を含んだ実体情報を処理する設定を示す設定情報を、ＮＦＣ通信部２０１を介した非接触通信で複合機１００に送信し、ブルートゥース通信部２０２が、ＮＦＣ通信部２０１によって送信した通信設定情報に基づいて複合機１００との通信を確立し、実体情報を介してブルートゥース通信部２０２が非接触通信で複合機１００に送信し、操作入力部２０４が、設定情報の送信指示の入力を受け付け、通信判断部２０６が、複合機１００との間でＮＦＣ通信部２０１による通信またはブルートゥース通信部２０２による通信のいずれの通信が可能か否かを判定し、ブルートゥース通信部２０２は、通信判断部２０６がＮＦＣ通信部２０１による通信が可能でないと判定した場合に、入力された送信指示に基づいて、設定情報をブルートゥース通信部２０２を介して送信するので、ユーザにとって好ましい通信方法を選択させ、通信操作の負担を軽減することができる。
【００８８】
（第５の実施の形態）
第１乃至第４の実施の形態では、携帯端末装置２００と複合機１００がＮＦＣ通信部またはブルートゥース通信部によって通信が可能か否か、すなわちこれらの通信範囲に携帯端末装置２００または複合機１００が存在するか否かによって、印刷設定情報や文書データ等の通信方法を定めていた。しかし、データ容量が一定のバイト数以下のものや一定のページ数以下のもの、あるいは秘匿性の高いデータ等の場合には、携帯端末装置２００と複合機１００との通信範囲にかかわらず、前者は接続処理が素早く行える点、後者はセキュリティが高いという点から、ＮＦＣ通信部による通信によって文書データの送受信を行うことが望ましい場合がある。そこで、携帯端末装置２００において、データの大きさ、ページ数、秘匿性の高さ等の文書データの属性を判定した上で、ＮＦＣ通信部による通信を行うか、またはブルートゥース通信部による通信を行う場合について説明する。
【００８９】
図９は、本実施の形態にかかる情報処理システム２０の構成を示すブロック図である。本実施の形態にかかる携帯端末装置２０００は、文書データの属性を判定する属性判定部９０１と、データ記憶部２０３とは異なるデータ記憶部２０３０を備える点で、第１乃至第４の実施の形態の携帯端末装置２００と異なっている。以下の説明では、上述した第１の実施の形態と同一の構成要素には同一の符号を付してその説明を省略している。
【００９０】
図１０は、第５の実施の形態にかかる情報処理システム１０が行う無線通信確立処理手順およびデータ処理手順についてのフローチャートである。
【００９１】
データ記憶部２０３０は、複合機１００の機能を利用するためのデータを格納するほか、ＮＦＣ通信部による通信を行うか、ブルートゥース通信部による通信を行うかを判定するための基準値（例えば、“データ容量”を基準とする場合は“１２８KB”、“ページ数”を基準とする場合は“１００ページ”、“ファイルの種類”を基準とする場合は“拡張子がテキストファイル形式（.txt）”、あるいは“データ内容”を基準とする場合は、“暗号化の有無”等）を記憶する。尚、暗号化の方法は、公開鍵暗号方式、秘密鍵暗号方式等、いずれの方式によるものでもよい。
【００９２】
属性判定部９０１は、データ記憶部２０３に記憶された文書データの属性の基準値に応じて、ＮＦＣ通信部によって通信すべきものか、ブルートゥース通信部によって通信すべきものかを判定する。属性の判定に用いる基準値は、上述したような“データ容量”“ページ数”等あらかじめ固定的に記憶されたものであるが、これらを組み合わせた基準値を用いることによって属性を判定することとしても良い。
【００９３】
次に、以上のように構成されている複合機１００と携帯端末装置２０００とを備える情報処理システム２０による無線通信確立およびデータ送信処理について説明する。図１０は、情報処理システムが行う無線通信確立処理手順およびデータ送信処理手順を示すフローチャートである。以下の説明では、上述した第１乃至第４の実施の形態と同一の処理には同一の符号を付してその説明を省略し、異なる処理についてのみ説明している。
【００９４】
属性判定部９０１は、ＮＦＣ通信部１０１、ＮＦＣ通信部２０１によって操作入力部２０４で選択された印刷設定情報が送受信されると（ステップＳ５０４、Ｓ５０５）、データ記憶部２０３０に記憶された文書データの属性の基準値を参照して、操作入力部２０４で指定された文書データがＮＦＣ通信部による通信が可能か否かを判定する（ステップＳ１００１）。例えば、文書データの属性の基準値が、“データ容量”を基準とする場合は、指定された文書データのファイルサイズが“１２８KB”以下であれば、ＮＦＣ通信部による通信が可能であると判定し、“１２８KB”より大きいのであれば、ＮＦＣ通信部による通信が不可能であると判定する。同様に、文書データの属性の基準値が、“ファイルの種類”を基準とする場合は、指定された文書データの拡張子を参照して“.txt”である場合には、ＮＦＣ通信部による通信が可能であると判定し、“.txt”でないのであれば、ＮＦＣ通信部による通信が不可能であると判定する。
【００９５】
そして、ＮＦＣ通信部２０１は、属性判定部９０１がＮＦＣ通信部による通信が可能であると判定した場合には（ステップＳ１００１：Ｙｅｓ）、操作入力部２０４で指定された文書データをＮＦＣ通信部１０１に送信し（ステップＳ１００２）、ＮＦＣ通信部１０１は、ＮＦＣ通信部２０１から送信された文書データを受信する（ステップＳ１００３）。そして、データ処理部１０４は、ＮＦＣ通信部１０１が受信した文書データ（ステップＳ１００３）または、ブルートゥース通信部１０２が受信した文書データ（ステップＳ５１１）と、ステップＳ５０５で生成した形式データを結合して印刷用データを生成し（ステップＳ１００４）、いずれかの印刷用データを印刷する（ステップＳ１００５）。
【００９６】
一方、属性判定部９０１がＮＦＣ通信部による通信が可能でないと判定した場合には（ステップＳ１００１：Ｎｏ）、ステップＳ５０６等の第１の実施の形態と同様の各処理を行う。
【００９７】
このように、通信判断部２０６は、文書または画像を含んだ実体情報の属性を判定する属性判定部９０１と、をさらに備え、ＮＦＣ通信部２０１は、通信判断部２０６がＮＦＣ通信部２０１による通信が可能であると判定した場合であって、属性判定部９０１が判定した実体情報の属性に応じて、実体情報をＮＦＣ通信部２０１を介して送信し、ブルートゥース通信部２０２は、通信判断部２０６がＮＦＣ通信部２０１による通信が可能でないと判定した場合であって、属性判定部９０１が判定した実体情報の属性に応じて、実体情報をブルートゥース通信部２０２を介して送信するので、携帯端末装置における通信接続処理を軽減できるとともに、安全に通信することができる。
【００９８】
また、ＮＦＣ通信部２０１は、属性判定部９０１が所定の条件を満たした場合に、文書または画像を含んだ実体情報をＮＦＣ通信部２０１を介して送信するので、携帯端末装置における通信接続処理を軽減できるとともに、より安全に通信することができる。
【００９９】
また、上述した所定の条件に、文書または画像を含んだ実体情報の大きさが所定のサイズ以下であるとすることによって、容量に応じて携帯端末装置における通信接続処理を軽減できる。
【０１００】
また、所定の条件に、文書または画像を含んだ実体情報の大きさが所定のページ数以下であるとすることによって、ページ数に応じて携帯端末装置における通信接続処理を軽減できる。
【０１０１】
また、所定の条件に、文書または画像を含んだ実体情報が所定の形式で作成されているとすることによって、データの形式に応じて携帯端末装置における通信接続処理を軽減できる。
【０１０２】
また、所定の条件に、属性情報が秘密状態を示すものが含まれるものであるとすることによって、より安全な通信操作を確保することができる。
【０１０３】
（第６の実施の形態）
第５の実施の形態では、接続処理が素早く行える点、セキュリティが高いという点から、携帯端末装置２０００において、データの大きさ、ページ数、秘匿性の高さ等の文書データの属性を判定した上で、ＮＦＣ通信部による通信を行うか、またはブルートゥース通信部による通信を行い、複合機１００のデータ処理部１０４が印刷用データを生成して印刷することとした。しかし、複合機１００の種類によっては、携帯端末装置２００に比べて処理能力が劣る場合も存在する。そこで、印刷設定情報と文書データを結合した印刷用データを携帯端末装置２００で生成し、その印刷用データの属性を判定した上で、複合機１００に送信し、複合機１００は受信した印刷用データを単純に受信する場合について説明する。本実施の形態にかかる情報処理システムにおける機器構成は第５の実施の形態と同じ構成であるため、ブロック図による各構成の説明については省略し、無線通信確立処理手順およびデータ処理手順について、フローチャートを用いて説明する。また、以下の説明では、上述した第５の実施の形態と同一の処理には同一の符号を付してその説明を省略し、異なる処理についてのみ説明している。
【０１０４】
図１１は、第６の実施の形態にかかる情報処理システム２０が行う無線通信確立処理手順およびデータ処理手順についてのフローチャートである。
【０１０５】
まず、携帯端末装置２０００において、ＮＦＣ通信部２０１は、第１、第２の実施の形態におけるステップＳ５０１等の各処理を行い、データ処理部２０７が印刷用データを生成すると（ステップＳ６０２）、属性判定部９０１は、操作入力部２０４で指定された文書データの属性の基準値を参照して、操作入力部２０４で指定された文書データがＮＦＣ通信部による通信が可能か否かを判定する（ステップＳ１１０１）。
【０１０６】
そして、属性判定部９０１が、ＮＦＣ通信部による通信が可能であると判定した場合には（ステップＳ１１０１：Ｙｅｓ）、ＮＦＣ通信部２０１は、操作入力部２０４で指定された文書データをＮＦＣ通信部１０１に送信し（ステップＳ１１０２）、ＮＦＣ通信部１０１は、ＮＦＣ通信部２０１から送信された文書データを受信する（ステップＳ１１０３）。そして、データ処理部１０４は、ステップＳ６０４またはステップＳ１１０３で受信したいずれかの印刷用データを印刷する（ステップＳ１１０４）。
【０１０７】
一方、属性判定部９０１が、ＮＦＣ通信部による通信が可能でないと判定した場合には（ステップＳ１１０１：Ｎｏ）、第１、第２の実施の形態と同様の処理を行って、印刷用データを印刷等する。
【０１０８】
このように、複合機１００の処理能力が低い場合であっても、第５の実施の形態と同様の処理を行うことができる。
【０１０９】
（第７の実施の形態）
第１乃至第６の実施の形態では、ＮＦＣ通信部による通信とブルートゥース通信部による通信を通信範囲で判別する、もしくは接続処理が素早く行える点、セキュリティが高いという点から、携帯端末装置２０００において、データの大きさ、ページ数、秘匿性の高さ等の文書データの属性を判定する等、各実施の形態において最良の形態を示したが、これらを組み合わせることによって、ユーザにとってより負担の少なくかつ安全な通信を行うことができると考えられる。そこで、上述した第１乃至第６の実施の形態を組み合わせた場合について説明する。本実施の形態にかかる情報処理システムにおける機器構成は第５の実施の形態と同じ構成であるため、ブロック図による各構成の説明については省略し、無線通信確立処理手順およびデータ処理手順について、フローチャートを用いて説明する。また、以下の説明では、上述した第５の実施の形態と同一の処理には同一の符号を付してその説明を省略し、異なる処理についてのみ説明している。
【０１１０】
図１２は、第７の実施の形態にかかる情報処理システム２０が行う無線通信確立処理手順およびデータ処理手順についてのフローチャートである。
【０１１１】
まず、携帯端末装置２００において、ブルートゥース通信部２０２は、携帯端末装置２００のブルートゥース通信部２０２と複合機１００のブルートゥース通信部１０２との通信が既に確立しているか否かを判断する（ステップＳ１２０１）。複合機１００のＮＦＣ通信部１０１との通信が確立していないと判断した場合は（ステップＳ１２０１：Ｎｏ）、図１０に示す第５の実施の形態におけるステップＳ５０１に進み、第５の実施の形態における各処理を行う。
【０１１２】
また、複合機１００において、ブルートゥース通信部１０２は携帯端末装置２００のブルートゥース通信部２０２との通信が既に確立しているか否かを判断する（ステップＳ１２０２）。携帯端末装置２００のブルートゥース通信部２０２との通信が確立していないと判断した場合は（ステップＳ１２０２：Ｎｏ）、図１０に示す第５の実施の形態におけるステップＳ５０２に進み、その後第５の実施の形態における各処理を行う。
【０１１３】
そして、ブルートゥース通信部２０２が、ブルートゥース通信部２０２とブルートゥース通信部１０２との通信が確立したと判断した場合（ステップＳ１２０１：Ｙｅｓ）、順次第１乃至第６の実施の形態における各処理を行い、印刷用データを印刷する。
【０１１４】
（第８の実施の形態）
第７の実施の形態では、上述した第１乃至第６の実施の形態を組み合わせた場合について説明したが、複合機１００の種類によっては、携帯端末装置２００に比べて処理能力が劣る場合も存在する。そこで、第７の実施の形態において、印刷設定情報と文書データを結合した印刷用のデータを携帯端末装置２００で生成した上で複合機１００にＮＦＣ通信部またはブルートゥース通信部による通信によって送信し、複合機１００は受信した印刷用データを単純に受信して印刷する場合について説明する。本実施の形態にかかる情報処理システムにおける機器構成は第７の実施の形態と同じ構成であるため、ブロック図による各構成の説明については省略し、無線通信確立処理手順およびデータ処理手順について、フローチャートを用いて説明する。また、以下の説明では、上述した第７の実施の形態と同一の処理には同一の符号を付してその説明を省略し、異なる処理についてのみ説明している。
【０１１５】
図１３は、第８の実施の形態にかかる情報処理システム１０が行う無線通信確立処理手順およびデータ処理手順についてのフローチャートである。
【０１１６】
まず、携帯端末装置２００において、通信判断部２０６は、携帯端末装置２００のブルートゥース通信部２０２と複合機１００のブルートゥース通信部１０２との通信が既に確立しているか否かを判断する（ステップＳ１３０１）。複合機１００のＮＦＣ通信部１０１との通信が確立していないと判断した場合は（ステップＳ１３０１：Ｎｏ）、図１１に示す第６の実施の形態におけるステップＳ５０１に進み、第６の実施の形態における各処理を行う。
【０１１７】
また、複合機１００において、ブルートゥース通信部１０２は携帯端末装置２００のブルートゥース通信部２０２との通信が既に確立しているか否かを判断する（ステップＳ１３０２）。携帯端末装置２００のブルートゥース通信部２０２との通信が確立していないと判断した場合は（ステップＳ１３０２：Ｎｏ）、図１１に示す第６の実施の形態におけるステップＳ５０２に進み、その後第６の実施の形態における各処理を行う。
【０１１８】
そして、ブルートゥース通信部２０２が、ブルートゥース通信部２０２とブルートゥース通信部１０２との通信が確立したと判断した場合（ステップＳ１３０１：Ｙｅｓ）、順次第１乃至第６の実施の形態における各処理を行い、印刷用データを印刷する。
【０１１９】
（第９の実施の形態）
第１乃至第８の実施の形態では、携帯端末装置２００または携帯端末装置２０００に記憶されたデータは文書データであり、複合機１００のプリンタ部１０５による印刷機能を用いて文書データを印刷する場合について説明した。しかし、複合機１００にはスキャナ部１０３を備えており、文書データの原稿をスキャナ部１０３で読み取って画像データに変換し、複合機１００から携帯端末装置２００または携帯端末装置２０００に、その画像データを転送して携帯端末装置２００または携帯端末装置２０００のデータ記憶部２０３またはデータ記憶部２０３０に記憶することも可能であるため、このような画像データを取り扱う場合について説明する。本実施の形態にかかる情報処理システムにおける機器構成は第１乃至第８の実施の形態と同じ構成であるため、ブロック図による各構成の説明については省略し、無線通信確立処理手順およびデータ処理手順について、フローチャートを用いて説明する。また、以下の説明では、取り扱うデータは画像データであっても、ＮＦＣ通信部またはブルートゥース通信部による通信や、通信設定情報の送受信等第１の実施の形態乃至第８の実施の形態と同一の処理を行う場合があるので、その場合には、同一の処理には同一の符号を付してその説明を省略し、異なる処理についてのみ説明している。
【０１２０】
図１４は、第９の実施の形態にかかる情報処理システム１０が行う無線通信確立処理手順およびデータ処理手順についてのフローチャートである。
【０１２１】
ＮＦＣ通信部２０１は、ブルートゥース通信部２０２とブルートゥース通信部１０２との間の通信が確立すると（ステップＳ５０８、Ｓ５０９）、操作入力部２０４で指定したスキャン設定情報を複合機１００のＮＦＣ通信部１０１に送信し（ステップＳ１４０１）、ＮＦＣ通信部１０１は、そのスキャン設定情報受信する（ステップＳ１４０２）。
【０１２２】
スキャナ部１０３は、画像データの原稿の読み取り(ステップＳ１４０３)、データ処理部１０４は、ステップＳ１４０３で読み取った画像の原稿イメージを、ステップＳ１４０２で受信したスキャナ設定情報（例えば、“原稿種類”、“解像度”、“読み取りサイズ”等）に基づいて画像データを生成する（ステップＳ１４０４）。
【０１２３】
そして、ブルートゥース通信部１０２は、携帯端末装置２０００のブルートゥース通信部２０２に、生成した画像データを送信し（ステップＳ１４０５）、ブルートゥース通信部２０２は、画像データを受信し（ステップＳ１４０６）、データ処理部２０７は、受信した画像データをデータ記憶部２０３０に記憶する（ステップＳ１４０７）。
【０１２４】
（第１０の実施の形態）
第９の実施の形態では、文書データの原稿をスキャナ部１０３で読み取って画像データに変換し、複合機１００から携帯端末装置２００または携帯端末装置２０００に、その画像データを転送して携帯端末装置２００または携帯端末装置２０００のデータ記憶部２０３またはデータ記憶部２０３０に記憶する場合について説明したが、ユーザが複合機１００の位置から離れてしまい、ＮＦＣ通信部による通信ができなくなってしまう場合もある。そこで、ＮＦＣ通信部による通信ができない場合であっても、ブルートゥース通信部による通信にしたがって、スキャン設定情報を送受信する場合について説明する。本実施の形態にかかる情報処理システムにおける機器構成は第９の実施の形態と同じ構成であるため、ブロック図による各構成の説明については省略し、無線通信確立処理手順およびデータ処理手順について、フローチャートを用いて説明する。また、以下の説明では、上述した第９の形態と同一の処理には同一の符号を付してその説明を省略し、異なる処理についてのみ説明している。
【０１２５】
図１５は、第１０の実施の形態にかかる情報処理システム１０が行う無線通信確立処理手順およびデータ処理手順についてのフローチャートである。
【０１２６】
まず、携帯端末装置２０００において、ブルートゥース通信部２０２は、携帯端末装置２０００のブルートゥース通信部２０２と複合機１００のブルートゥース通信部１０２との通信が既に確立しているか否かを判断する（ステップＳ１５０１）。複合機１００のブルートゥース通信部１０２との通信が確立していないと判断した場合は（ステップＳ１５０１：Ｎｏ）、第９の実施の形態におけるステップＳ５０１に進み、第９の実施の形態における各処理を行う。
【０１２７】
また、複合機１００において、ブルートゥース通信部１０２は携帯端末装置２００のブルートゥース通信部２０２との通信が既に確立しているか否かを判断する（ステップＳ１５０２）。携帯端末装置２００のブルートゥース通信部２０２との通信が確立していないと判断した場合は（ステップＳ１５０２：Ｎｏ）、図１４に示す第９の実施の形態におけるステップＳ５０２に進み、その後第９の実施の形態における各処理を行う。
【０１２８】
そして、ＮＦＣ通信部２０１による通信が可能か否かを判定した後（ステップＳ７０３）、ＮＦＣ通信部２０１による通信が可能でないと判定した場合（ステップＳ７０３：Ｎｏ）、通信判断部２０６は、操作入力部２０４が、ユーザからスキャン設定情報の送信指示を受けているか否かを判断する（ステップＳ１５０２）。通信判断部２０６は、操作入力部２０４が送信指示を受けていないと判断すると（ステップＳ１５０２：Ｎｏ）、操作入力部２０４が送信指示を受けるまで待機する。
【０１２９】
一方、通信判断部２０６が、操作入力部２０４が送信指示を受けていると判断すると（ステップＳ１５０２：Ｙｅｓ）、ブルートゥース通信部２０２は、操作入力部２０４で指定されたスキャン設定情報を、ブルートゥース通信部１０２に送信し（ステップＳ１５０３）、ブルートゥース通信部１０２は、ブルートゥース通信部２０２からスキャン設定情報を受信する（ステップＳ１５０４）。
【０１３０】
（第１１の実施の形態）
第９乃至第１０の実施の形態では、携帯端末装置２００と複合機１００がＮＦＣ通信部またはブルートゥース通信部によって通信が可能か否か、すなわちこれらの通信範囲に携帯端末装置２００または複合機１００が存在するか否かによって、スキャン設定情報や画像データ等の通信方法を定めていた。しかし、データ容量が一定のバイト数以下のものや一定のページ数以下のもの、あるいは秘匿性の高いデータ等の場合には、携帯端末装置２００と複合機１００との通信範囲にかかわらず、前者は接続処理が素早く行える点、後者はセキュリティが高いという点から、ＮＦＣ通信部による通信によってスキャンした画像データの送受信を行うことが望ましい場合がある。そこで、携帯端末装置２００において、データの大きさ、ページ数、秘匿性の高さ等の画像データの属性を判定した上で、ＮＦＣ通信部による通信を行うか、またはブルートゥース通信部による通信を行う場合について説明する。本実施の形態にかかる情報処理システムにおける機器構成は第９または第１０の実施の形態と同じ構成であるため、ブロック図による各構成の説明については省略し、無線通信確立処理手順およびデータ処理手順について、フローチャートを用いて説明する。また、以下の説明では、取り扱うデータは画像データであっても、ＮＦＣ通信部またはブルートゥース通信部による通信や、通信設定情報の送受信等第１の実施の形態乃至第８の実施の形態と同一の処理を行う場合があるので、その場合には、同一の処理には同一の符号を付してその説明を省略し、異なる処理についてのみ説明している。
【０１３１】
図１６は、第１１の実施の形態にかかる情報処理システム１０が行う無線通信確立処理手順およびデータ処理手順についてのフローチャートである。
【０１３２】
ＮＦＣ通信部２０１がＮＦＣ通信部１０１に操作入力部２０４で指定したスキャナ設定情報を送信し（ステップＳ５０４）、ＮＦＣ通信部１０１がそのスキャナ設定情報を受信すると（ステップＳ５０５）、通信判断部２０６は、再びＮＦＣ通信部２０１とＮＦＣ通信部１０１との通信が確立したかを判定する（ステップＳ１６０１）。そして、通信判断部２０６は、ＮＦＣ通信部２０１による通信が確立したと判断した場合（ステップＳ１６０１：Ｙｅｓ）、ＮＦＣ通信部１０１は、画像データの属性情報をＮＦＣ通信部２０１に送信し、ＮＦＣ通信部２０１は、その属性情報を受信する（ステップＳ１６０５、Ｓ１６０６）。
【０１３３】
一方、通信判断部２０６は、ＮＦＣ通信部２０１による通信が確立していないと判断した場合（ステップＳ１６０１：Ｎｏ）、操作表示部２０５に、ユーザに対して“電波強度が弱いため、複合機に近づいてください”等のメッセージを出力し（ステップＳ１６０２）、電波強度の条件が満たされるまで待機する。
【０１３４】
その後、属性判断部９０１は、画像データの属性情報からＮＦＣ通信部２０１による通信が可能か否かを判断し（ステップＳ１６０７、Ｓ１６０８）、ブルートゥース通信部による通信を確立する等の処理を行い（ステップＳ５０７、Ｓ５０８等）、ＮＦＣ通信部１０１は、画像データをＮＦＣ２０１に送信し（ステップＳ１６０９、Ｓ１６１０）、ＮＦＣ通信部２０１によって受信した画像データをデータ記憶部２０３０に格納する（ステップＳ１６１１）。
【０１３５】
（第１２の実施の形態）
第１１の実施の形態では、ＮＦＣ通信部による通信とブルートゥース通信部による通信を通信範囲で判別する、もしくは接続処理が素早く行える点、セキュリティが高いという点から、携帯端末装置２０００において、画像データの大きさ、ページ数、秘匿性の高さ等の画像データの属性を判定する等、各実施の形態において最良の形態を示したが、これらを組み合わせることによって、ユーザにとってより負担の少なくかつ安全な通信を行う句とができると考えられる。そこで、上述した第９乃至第１１の実施の形態を組み合わせた場合について説明する。本実施の形態にかかる情報処理システムにおける機器構成は第９乃至第１１の実施の形態と同じ構成であるため、ブロック図による各構成の説明については省略し、無線通信確立処理手順およびデータ処理手順について、フローチャートを用いて説明する。また、以下の説明では、取り扱うデータは画像データであっても、ＮＦＣ通信部またはブルートゥース通信部による通信や、通信設定情報の送受信等第１の実施の形態乃至第８の実施の形態と同一の処理を行う場合があるので、その場合には、同一の処理には同一の符号を付してその説明を省略し、異なる処理についてのみ説明している。
【０１３６】
図１７−１、図１７−２は、第１２の実施の形態にかかる情報処理システム１０が行う無線通信確立処理手順およびデータ処理手順についてのフローチャートである。
【０１３７】
まず、携帯端末装置２００において、通信判断部２０６は、携帯端末装置２００のブルートゥース通信部２０２と複合機１００のブルートゥース通信部１０２との通信が既に確立しているか否かを判断する（ステップＳ７０１）。複合機１００のＮＦＣ通信部１０１との通信が確立していないと判断した場合は（ステップＳ７０１：Ｎｏ）、図１６に示す第６の実施の形態におけるステップＳ５０１に進み、第１１の実施の形態における各処理を行う。
【０１３８】
また、複合機１００において、ブルートゥース通信部１０２は携帯端末装置２００のブルートゥース通信部２０２との通信が既に確立しているか否かを判断する（ステップＳ７０２）。携帯端末装置２００のブルートゥース通信部２０２との通信が確立していないと判断した場合は（ステップＳ７０２：Ｎｏ）、図１６に示す第１１の実施の形態におけるステップＳ５０２に進み、その後第１１の実施の形態における各処理を行う。
【０１３９】
そして、通信判断部２０６が、ＮＦＣ通信部２０１とＮＦＣ通信部１０１との通信が確立したと判断した場合（ステップＳ７０１：Ｙｅｓ）、順次第９乃至第１１の実施の形態における各処理を行い、画像データをデータ記憶部２０３０に格納する。
【０１４０】
このように、設定情報として印刷に関する情報を用いて、データ処理部１０４は、印刷に関する情報に基づいて、ブルートゥース通信部１０２を介して非接触通信で携帯端末装置２００または携帯端末装置２０００から受信した文書または画像を含んだ実体情報を印刷するので、印刷操作および通信操作の負担を軽減することができる。
【０１４１】
また、設定情報としてスキャンに関する情報を用いて、データ処理部１０４は、文書または画像を含んだ実体情報をスキャンするための情報に基づいて、ブルートゥース通信部１０２を介して非接触通信で携帯端末装置２００または携帯端末装置２０００から受信したスキャンに関する情報に基づいて原稿をスキャンして画像データを生成し、ＮＦＣ通信部１０１は、生成された前記画像データをＮＦＣ通信部１０１を介して携帯端末装置に送信するので、スキャン操作および通信操作の負担を軽減することができる。
【０１４２】
次に、複合機１００のハードウェア構成を説明する。図１８は、本実施の形態にかかる複合機のハードウェア構成を示す説明図である。図１８に示すように、複合機１００は、コントローラ５１０とプリンタ部５６０およびスキャナ部５７０とをＰＣＩ（Peripheral Component Interconnect）バスで接続した構成となる。コントローラ５１０は、複合機１００全体の制御と描画、通信、操作部５２０からの入力を制御するコントローラである。なお、プリンタ部５６０またはスキャナ部５７０には、２値化を行う誤差拡散や階調の補正を行うガンマ変換などの画像処理部分が含まれる。操作部５２０は、スキャナ部５７０で読み取られた原稿の原稿画像情報等をＬＣＤ（Liquid Crystal Display）に表示するとともに操作者からの入力をタッチパネルを介して受け付ける操作表示部５２０ａと、操作者からのキー入力を受け付けるキーボード部５２０ｂとを有している。
【０１４３】
本実施の形態にかかる複合機１００は、操作部５２０のアプリケーション切り替えキーにより、ドキュメントボックス機能、コピー機能、プリンタ機能、スキャナ機能およびファクシミリ機能を順次に切り替えて選択することが可能となっている。ドキュメントボックス機能の選択時にはドキュメントボックスモードとなり、コピー機能の選択時にはコピーモードとなり、プリンタ機能の選択時にはプリンタモードとなり、スキャナ機能の選択時にはスキャナモードとなり、ファクシミリモードの選択時にはファクシミリモードとなる。
【０１４４】
コントローラ５１０は、コンピュータの主要部であるＣＰＵ（Central Processing Unit）５１１と、システムメモリ（ＭＥＭ−Ｐ）５１２と、ノースブリッジ（ＮＢ）５１３と、サウスブリッジ（ＳＢ）５１４と、ＡＳＩＣ（Application Specific Integrated Circuit）５１６と、記憶部であるローカルメモリ（ＭＥＭ−Ｃ）５１７と、記憶部であるハードディスクドライブ（ＨＤＤ）５１８とを有し、ＮＢ５１３とＡＳＩＣ５１６との間をＡＧＰ（Accelerated Graphics Port）バス５１５で接続した構成となる。また、ＭＥＭ−Ｐ５１２は、ＲＯＭ（Read Only Memory）５１２ａと、ＲＡＭ（Random Access Memory）５１２ｂとをさらに有する。
【０１４５】
ＣＰＵ５１１は、複合機１００の全体制御を行うものであり、ＮＢ５１３、ＭＥＭ−Ｐ５１２およびＳＢ５１４からなるチップセットを有し、このチップセットを介して他の機器と接続される。
【０１４６】
ＮＢ５１３は、ＣＰＵ５１１とＭＥＭ−Ｐ５１２、ＳＢ５１４、ＡＧＰバス５１５とを接続するためのブリッジであり、ＭＥＭ−Ｐ５１２に対する読み書きなどを制御するメモリコントローラと、ＰＣＩマスタおよびＡＧＰターゲットとを有する。
【０１４７】
ＭＥＭ−Ｐ５１２は、プログラムやデータの格納用メモリ、プログラムやデータの展開用メモリ、プリンタの描画用メモリなどとして用いるシステムメモリであり、ＲＯＭ５１２ａとＲＡＭ５１２ｂとからなる。ＲＯＭ５１２ａは、ＣＰＵ５１１の動作を制御するプログラムやデータの格納用メモリとして用いる読み出し専用のメモリであり、ＲＡＭ５１２ｂは、プログラムやデータの展開用メモリ、プリンタの描画用メモリなどとして用いる書き込みおよび読み出し可能なメモリである。
【０１４８】
ＳＢ５１４は、ＮＢ５１３とＰＣＩデバイス、周辺デバイスとを接続するためのブリッジである。このＳＢ５１４は、ＰＣＩバスを介してＮＢ５１３と接続されており、このＰＣＩバスには、ネットワークインタフェース（Ｉ／Ｆ）部５８０なども接続される。
【０１４９】
ＡＳＩＣ５１６は、画像処理用のハードウェア要素を有する画像処理用途向けのＩＣ（Integrated Circuit）であり、ＡＧＰバス５１５、ＰＣＩバス、ＨＤＤ５１８およびＭＥＭ−Ｃ５１７をそれぞれ接続するブリッジの役割を有する。このＡＳＩＣ５１６は、ＰＣＩターゲットおよびＡＧＰマスタと、ＡＳＩＣ５１６の中核をなすアービタ（ＡＲＢ）と、ＭＥＭ−Ｃ５１７を制御するメモリコントローラと、ハードウェアロジックなどにより画像データの回転などを行う複数のＤＭＡＣ（Direct Memory Access Controller）と、プリンタ部５６０やスキャナ部５７０との間でＰＣＩバスを介したデータ転送を行うＰＣＩユニットとからなる。このＡＳＩＣ５１６には、ＰＣＩバスを介してＦＣＵ（Fax Control Unit）５３０、ＵＳＢ（Universal Serial Bus）５４０、ＩＥＥＥ１３９４（the Institute of Electrical and Electronics Engineers 1394）インタフェース５５０が接続される。
【０１５０】
ＭＥＭ−Ｃ５１７は、コピー用画像バッファ、符号バッファとして用いるローカルメモリであり、ＨＤＤ５１８は、画像データの蓄積、ＣＰＵ５１１の動作を制御するプログラムの蓄積、フォントデータの蓄積、フォームの蓄積を行うためのストレージである。
【０１５１】
ＡＧＰバス５１５は、グラフィック処理を高速化するために提案されたグラフィックスアクセラレータカード用のバスインタフェースであり、ＭＥＭ−Ｐ５１２に高スループットで直接アクセスすることにより、グラフィックスアクセラレータカードを高速にするものである。
【０１５２】
なお、本実施の形態の複合機１００で実行されるプログラムは、ＲＯＭ等に予め組み込まれて提供される。本実施の形態の複合機１００で実行されるプログラムは、インストール可能な形式又は実行可能な形式のファイルでＣＤ−ＲＯＭ、フレキシブルディスク（ＦＤ）、ＣＤ−Ｒ、ＤＶＤ（Digital Versatile Disk）等のコンピュータで読み取り可能な記録媒体に記録して提供するように構成してもよい。
【０１５３】
さらに、本実施の形態の複合機１００で実行されるプログラムを、インターネット等のネットワークに接続されたコンピュータ上に格納し、ネットワーク経由でダウンロードさせることにより提供するように構成してもよい。また、本実施形態の複合機１００で実行されるプログラムをインターネット等のネットワーク経由で提供または配布するように構成してもよい。
【０１５４】
本実施の形態の複合機１００で実行されるプログラムは、上述した各部（ＮＦＣ通信部、ブルートゥース通信部、データ処理部、ファクシミリ送受信部など）を含むモジュール構成となっており、実際のハードウェアとしてはＣＰＵ（プロセッサ）が上記ＲＯＭからプログラムを読み出して実行することにより上記各部が主記憶装置上にロードされ、ＮＦＣ通信部、ブルートゥース通信部、データ処理部、ファクシミリ送受信部などが主記憶装置上に生成されるようになっている。
【０１５５】
また、本実施の形態の携帯端末装置２００で実行されるプログラムは、ＲＯＭ等に予め組み込まれて提供される。また、本実施の形態の携帯端末装置２００で実行されるプログラムは、インストール可能な形式又は実行可能な形式のファイルでＣＤ−ＲＯＭ、フレキシブルディスク、ＣＤ−Ｒ、ＤＶＤ等のコンピュータで読み取り可能な記録媒体に記録して提供するように構成してもよい。
【０１５６】
さらに、本実施の形態の携帯端末装置２００で実行されるプログラムを、インターネット等のネットワークに接続されたコンピュータ上に格納し、ネットワーク経由でダウンロードさせることにより提供するように構成してもよい。また、本実施形態の携帯端末装置２００で実行されるプログラムをインターネット等のネットワーク経由で提供または配布するように構成してもよい。
【０１５７】
本実施の形態の携帯端末装置２００で実行されるプログラムは、上述した各部（ＮＦＣ通信部、ブルートゥース通信部など）を含むモジュール構成となっており、実際のハードウェアとしてはＣＰＵ（プロセッサ）が上記ＲＯＭからプログラムを読み出して実行することにより上記各部が主記憶装置上にロードされ、ＮＦＣ通信部、ブルートゥース通信部などが主記憶装置上に生成されるようになっている。
【０１５８】
なお、上述した実施の形態では、複合機を一例として説明したが、本発明は複合機に限る必要はなく、コピー機、ファクシミリ、プリンタを含む様々な装置に適用することができる。
【０１５９】
（第１３の実施の形態）
第１３の実施の形態について、添付図面を参照して説明する。第１３の実施の形態は、上述した複合機および携帯端末装置が備える構成および機能をカーナビゲーションシステムに適用した場合について説明する。
【０１６０】
本発明が適用されるカーナビゲーションシステムの構成例について、第１の実施の形態と異なる部分を説明する。他の部分については第１の実施の形態とほぼ同様であるので、上述した説明を参照し、ここでの説明を省略する。図１９は、第３の実施の形態にかかるカーナビゲーションシステムの構成を示すブロック図である。
【０１６１】
本実施の形態にかかるカーナビゲーションシステム３０は、カーナビゲーション装置８００と、携帯端末装置９００とを備え、カーナビゲーション装置８００と携帯端末装置９００とは、２つの通信手段によって通信可能である。
【０１６２】
まず、携帯端末装置９００について説明する。携帯端末装置９００は、ＮＦＣ通信部２０１と、ブルートゥース通信部２０２と、データ記憶部２０３と、操作表示部９０４と、ＧＰＳ（Global Positioning System）部９０５とを備えている。ここで、ＮＦＣ通信部２０１と、ブルートゥース通信部２０２と、データ記憶部２０３の構成、機能は、第１の実施の形態とほぼ同様であるので、説明を省略する。
【０１６３】
操作表示部９０４は、目的地情報の入力を受付ける。図２０は、目的地情報の入力画面の一例を示す説明図である。図２０に示すように、目的地情報として目的地の住所の入力を受付ける。また、操作表示部９０４は、カーナビゲーション装置８００から送信された現在地から目的地までの経路情報を表示する。図２１は、経路情報を表示した表示画面の一例を示す説明図である。なお、経路情報とは、経路表示に必要な地図データを含む情報である。
【０１６４】
ＧＰＳ部９０５は、衛星測位システムを用いて地球上の現在位置を特定する。図２０に示すような現在位置情報取得ボタンが押下された場合に、ＧＰＳ部９０５が携帯端末装置９００の地球上の現在位置を特定する。
【０１６５】
カーナビゲーション装置８００は、ＮＦＣ通信部１０１と、ブルートゥース通信部１０２と、データ処理部８０６と、操作表示部８１１と、ＧＰＳ部８１２と、経路情報記憶部８１３を備えている。ここで、ＮＦＣ通信部１０１と、ブルートゥース通信部１０２との構成、機能は、第１の実施の形態とほぼ同様であるので、説明を省略する。
【０１６６】
データ処理部８０６は、携帯端末装置９００から送信された現在地情報と目的地情報から経路探索し、経路情報記憶部８１３から経路情報を取得する。操作表示部８１１は、データ処理部８０６によって取得された経路情報を表示画面に表示する。ＧＰＳ部８１２は、ＧＰＳ部９０５と同様に衛星測位システムを用いてカーナビゲーション装置８００の地球上の現在位置を特定する。
【０１６７】
経路情報記憶部８１３は、カーナビゲーション装置８００が経路探索の対象とする領域の経路情報を格納する。なお、経路情報記憶部８１３に格納されている経路情報は、一般のカーナビゲーション装置が通常のナビゲーション処理を実行するために保持しているデータである。
【０１６８】
上述したカーナビゲーション装置８００の構成とすることにより、携帯端末装置９００から、目的地情報等の設定情報をＮＦＣ通信部またはブルートゥース通信部を介してカーナビゲーション装置８００に送信する。そして、データ処理部８０６は、その目的地情報等から経路情報記憶部８１３に記憶された地図データの所定の範囲の情報（例えば、目的地情報から半径5km以内の地図情報）を生成して、携帯端末装置９００に送信し、データ記憶部２０３にそのデータを記憶する等、上述した複合機と同様の通信手順で地図情報を取得することができる。このような処理を行うことにより、ユーザは自動車を降車して徒歩で目的地に向かうような場合であっても、携帯端末装置を持ち歩いていれば、通信可能な範囲で目的地までのナビゲーションが可能となる。
【０１６９】
以上、本発明を第１乃至第１３の実施の形態を用いて説明してきたが、上述した実施の形態に多様な変更または改良を加えることができる。なお、上述した第１乃至第１３の実施の形態において説明した構成や機能は、自由に組み合わせることができる。
【図面の簡単な説明】
【０１７０】
【図１】第１の実施の形態にかかる情報処理システムの構成を示すイメージ図である。
【図２】第１の実施の形態にかかる情報処理システムの構成を示すブロック図である。
【図３】操作入力部で文書を指定するための表示画面の一例を示す説明図である。
【図４】操作入力部で設定情報を指定するための表示画面の一例を示す説明図である。
【図５】第１の実施の形態にかかる情報処理システムが行う無線通信確立処理手順およびデータ処理手順を示すフローチャートである。
【図６】第２の実施の形態にかかる情報処理システムが行う無線通信確立処理手順およびデータ処理手順を示すフローチャートである。
【図７】第３の実施の形態にかかる情報処理システムが行う無線通信確立処理手順およびデータ処理手順を示すフローチャートである。
【図８】第４の実施の形態にかかる情報処理システムが行う無線通信確立処理手順およびデータ処理手順を示すフローチャートである。
【図９】第５の実施の形態にかかる情報処理システムの構成を示すブロック図である。
【図１０】第５の実施の形態にかかる情報処理システムが行う無線通信確立処理手順およびデータ処理手順を示すフローチャートである。
【図１１】第６の実施の形態にかかる情報処理システムが行う無線通信確立処理手順およびデータ処理手順を示すフローチャートである。
【図１２】第７の実施の形態にかかる情報処理システムが行う無線通信確立処理手順およびデータ処理手順を示すフローチャートである。
【図１３】第８の実施の形態にかかる情報処理システムが行う無線通信確立処理手順およびデータ処理手順を示すフローチャートである。
【図１４】第９の実施の形態にかかる情報処理システムが行う無線通信確立処理手順およびデータ処理手順を示すフローチャートである。
【図１５】第１０の実施の形態にかかる情報処理システムが行う無線通信確立処理手順およびデータ処理手順を示すフローチャートである。
【図１６】第１１の実施の形態にかかる情報処理システムが行う無線通信確立処理手順およびデータ処理手順を示すフローチャートである。
【図１７−１】第１２の実施の形態にかかる情報処理システムが行う無線通信確立処理手順およびデータ処理手順を示すフローチャートである。
【図１７−２】第１２の実施の形態にかかる情報処理システムが行う無線通信確立処理手順およびデータ処理手順を示すフローチャートである。
【図１８】第１乃至第１２の実施の形態にかかる複合機のハードウェア構成を示す説明図である。
【図１９】第１３の実施の形態にかかるナビゲーションシステムの構成を示すブロック図である。
【図２０】目的地情報の入力画面の一例を示す説明図である。
【図２１】経路情報を表示した表示画面の一例を示す説明図である。
【符号の説明】
【０１７１】
１０  ２０  情報処理システム
３０  カーナビゲーションシステム
１００  複合機
１０１  ＮＦＣ通信部
１０２  ブルートゥース通信部
１０３  スキャナ部
１０４  データ処理部
１０５  プリンタ部
１０６  ファクシミリ送受信部
１０７  プリンタ部
２００  ９００  ２０００  携帯端末装置
２０１  ＮＦＣ通信部
２０２  ブルートゥース通信部
２０３  データ記憶部
２０４  操作入力部
２０５  操作表示部
２０６  通信判断部
２０７  データ処理部
８００  カーナビゲーション装置
８０６  データ処理部
８１１  操作表示部
８１２  ＧＰＳ部
８１３  経路情報記憶部
９０１  属性判定部
９０４  操作表示部
９０５  ＧＰＳ部
【図１】
0005176706.tif 000002
【図２】
0005176706.tif 000003
【図３】
0005176706.tif 000004
【図４】
0005176706.tif 000005
【図５】
0005176706.tif 000006
【図６】
0005176706.tif 000007
【図７】
0005176706.tif 000008
【図８】
0005176706.tif 000009
【図９】
0005176706.tif 000010
【図１０】
0005176706.tif 000011
【図１１】
0005176706.tif 000012
【図１２】
0005176706.tif 000013
【図１３】
0005176706.tif 000014
【図１４】
0005176706.tif 000015
【図１５】
0005176706.tif 000016
【図１６】
0005176706.tif 000017
【図１７−１】
0005176706.tif 000018
【図１７−２】
0005176706.tif 000019
【図１８】
0005176706.tif 000020
【図１９】
0005176706.tif 000021
【図２０】
0005176706.tif 000022
【図２１】
0005176706.tif 000023